(57)【特許請求の範囲】
【請求項１】
観音開き扉の一方の扉に設けられた軸支ピンにより回動可能に軸支され、周縁に向けて漸次拡幅された係合溝を有するフックと、
観音開き扉の他方の扉に設けられ、前記係合溝に係合される係合ピンと、
前記フックに設けられ、前記フックを回動させる、可撓性を有する操作レバーと、
前記操作レバーを、前記係合溝と前記係合ピンが係合した状態からさらに前記係合溝を前記係合ピンに押し付ける方向に付勢し撓ませた状態で係止する係止部と、を備えることを特徴とする観音開き扉の開閉装置。
【請求項２】
前記係合溝と前記係合ピンとが係合されたときの前記操作レバーの先端の位置が、前記係合溝と前記係合ピンとの係合が解除されたときの前記操作レバーの先端の位置より高く構成されていることを特徴とする請求項１に記載の観音開き扉の開閉装置。
【請求項３】
前記係止部に係止されたときの前記操作レバーの先端の位置が、前記観音開き扉の吊元側にあることを特徴とする請求項１又は２に記載の観音開き扉の開閉装置。
【請求項４】
前記フックに回動可能に設けられたリンクレバーと、
前記リンクレバーに接続され下方向に伸びるとともに、前記フックの回動により前記リンクレバーを介して上下に追動するロックロッドと、
前記ロックロッドの水平方向の動きを規制するロッドガイドと、
下側の扉枠に設けられ、前記ロックロッドの下端が挿入される係合穴を有するロッド受部と、をさらに備えることを特徴とする請求項１ないし３のいずれか１項に記載の観音開き扉の開閉装置。
【請求項５】
前記ロックロッドの下端が漸次縮小されていることを特徴とする請求項４に記載の観音開き扉の開閉装置。
【請求項６】
前記係合溝の縁のうち、
前記軸支ピンに近い側の一方の縁が、前記係合溝の内側に突出する円弧をなしており、
前記軸支ピンから離れた側の他方の縁が、前記一方の縁より長く構成されていることを特徴とする請求項１ないし５のいずれか１項に記載の観音開き扉の開閉装置。
【発明の詳細な説明】
【技術分野】
【０００１】
本発明は、観音開き扉を閉めた状態で固定する、観音開き扉の開閉装置に関する。
【背景技術】
【０００２】
従来、トラックの荷台やコンテナ等の後扉に用いられている観音開き扉を固定するものとして、積載物の重さ等で側壁が外側に傾き、観音開き扉の戸先同士に隙間ができた状態であっても、観音開き扉の固定を行うことができる装置として、観音開き扉の一方の扉に係合レバーを回転自在に軸支し、他方の扉に係止ピンを突設し、前記係合レバーを前記係止ピンに係合して観音開き扉を閉鎖位置に固縛するロック装置が開示されている（特許文献１）。
【０００３】
また、積載物の重さ等で側壁が外側に傾き、観音開き扉の開閉装置にテンションが掛かり、開閉装置を開くことができなくなることを防止するための装置として、一方の扉に係合ピンを突設し、他方の扉には枢着ピンを突設し、係合ピンに先端のフック部を係合させ、枢着ピンを嵌入させる水平な水平移動用の移動用溝と下側に向かって傾斜させた回転用溝を設けたフック部材を備え、フック部材が水平方向に移動できる開閉装置が開示されている。（特許文献２）
【先行技術文献】
【特許文献】
【０００４】
【特許文献１】実開昭６３−１９５９８２号公報
【特許文献２】特開平１０−３７５６５号公報
【発明の概要】
【発明が解決しようとする課題】
【０００５】
しかし、特許文献１に開示されている技術では、観音開き扉を固縛したあとの係合レバーを固定するための構成が開示されていない。
【０００６】
また、特許文献２に開示されている技術では、複数のリンクを介してフック部材等を操作しており、その構造が複雑になりやすいという課題があった。
【０００７】
本発明は上記の点に鑑みなされたもので、その課題は、扉の固定及び開放にかかる手間を少なくできるとともに、簡易な構造で扉の固定及び開放を行うことができる、観音開き扉の開閉装置を提供することを目的とする。
【課題を解決するための手段】
【０００８】
本発明の観音開き扉の開閉装置は、
観音開き扉の一方の扉に設けられた軸支ピンにより回動可能に軸支され、周縁に向けて漸次拡幅された係合溝を有するフックと、
観音開き扉の他方の扉に設けられ、前記係合溝に係合される係合ピンと、
前記フックに設けられ、前記フックを回動させる、可撓性を有する操作レバーと、
前記操作レバーを、前記係合溝と前記係合ピンが係合した状態からさらに前記係合溝を前記係合ピンに押し付ける方向に付勢し撓ませた状態で係止する係止部と、
前記フックに回動可能に設けられたリンクレバーと、を備えることを特徴とする。
【０００９】
本発明の観音開き扉の開閉装置によれば、観音開き扉の一方の扉に設けられた軸支ピンにより回動可能に軸支されたフックと、観音開き扉の他方の扉に設けられ、係合溝に係合される係合ピンとを備えているため、フックが回動することにより係合溝と係合ピンが係合し、観音開き扉の一方の扉と他方の扉とが固定される。また、係合溝がフックの周縁に向けて漸次拡幅されているため、積載物の重さ等により観音開き扉の蝶番が設けられている吊元側の側壁が膨らんで、観音開き扉の一方の扉と他方の扉との戸先同士の間に隙間ができていても、係合ピンを係合溝に引っ掛け、その後のフックの回動により係合ピンを引きつけ、扉同士を固定することができるとともに、扉の開放も滑らかに行うことができる。
【００１０】
また、可撓性を有する操作レバーと、操作レバーを係合溝と係合ピンが係合した状態からさらに係合溝を係合ピンに押し付ける方向に付勢し撓ませた状態で係止する係止部とを備えるため、操作レバーの弾力により操作レバーが係止部に付勢された状態で係止される。これにより、係止部は操作レバーを引っ掛けるだけの構成で足り、装置の構成が簡易なものになるとともに、操作の手間を少なくすることができる。
【００１１】
本発明の観音開き扉の開閉装置の好ましい例は、
前記係合溝と前記係合ピンとが係合されたときの前記操作レバーの先端の位置が、前記係合溝と前記係合ピンとの係合が解除されたときの前記操作レバーの先端の位置より高く構成されていることを特徴とする。
【００１２】
本発明の観音開き扉の開閉装置の好ましい例によれば、係合溝と係合ピンとが係合されたときの操作レバーの先端の位置が、係合溝と係合ピンとの係合が解除されたときの操作レバーの先端の位置より高いため、操作レバーの係止を解除したときに、操作レバーの自重により操作レバーの先端が下降し、係合溝と係合ピンとの係合が解除される方向にフックを自然に回動させることが可能となる。これにより、扉の開放をするとき、操作レバーを最後まで操作する必要がなく、操作の手間を少なくすることができるとともに、積載物が崩れてきたとき等に操作者の回避行動を容易とすることができる。
【００１３】
本発明の観音開き扉の開閉装置の好ましい例は、
前記係止部に係止されたときの前記操作レバーの先端の位置が、前記観音開き扉の吊元側にあることを特徴とする。
【００１４】
本発明の観音開き扉の開閉装置の好ましい例によれば、係止部に係止されたときの操作レバーの先端の位置が、観音開き扉の吊元側にあるため、観音開き扉の開放操作を行うとき、操作者が観音開き扉の正面を避け、横方向にずれた位置から操作することができる。これにより、観音開き扉を開放して積載物が崩れてきたとき等に操作者が積載物の下敷きになることを防止でき、操作者の安全をより高めることができる。なお、吊元側にあるとは、操作者が観音開き扉の正面を避け、横方向にずれた位置から手を伸ばして操作できる範囲に操作レバーの先端があることを意図する。
【００１５】
本発明の観音開き扉の開閉装置の好ましい例は、
前記フックに回動可能に設けられたリンクレバーと、
前記リンクレバーに接続され下方向に伸びるとともに、前記フックの回動により前記リンクレバーを介して上下に追動するロックロッドと、
前記ロックロッドの水平方向の動きを規制するロッドガイドと、
下側の扉枠に設けられ、前記ロックロッドの下端が挿入される係合穴を有するロッド受部と、をさらに備えることを特徴とする。
【００１６】
本発明の観音開き扉の開閉装置の好ましい例によれば、フックに回動可能に設けられたリンクレバーと、リンクレバーに接続され下方向に伸びるとともに、フックの回動によりリンクレバーを介して上下に追動するロックロッドと、ロックロッドの水平方向の動きを規制するロッドガイドとをさらに備えるため、フックの回動運動がリンクレバーによりロックロッドを上下させる往復運動に変換される。さらに、下側の扉枠に設けられ、ロックロッドの下端が挿入される係合穴を有するロッド受部を備えるため、ロックロッドが挿入されることで観音開き扉の下側も固定される。これらにより、一つの操作レバーの操作により、観音開き扉の２箇所の固定及び開放を行うことができる。
【００１７】
本発明の観音開き扉の開閉装置の好ましい例は、
前記ロックロッドの下端が漸次縮小されていることを特徴とする。
【００１８】
本発明の観音開き扉の開閉装置の好ましい例によれば、ロックロッドの下端が漸次縮小されているため、係合穴にロックロッドの下端を挿入するときに、係合穴とロックロッドの位置が完全に合致していなくとも、ロックロッドの下端の先端が係合穴に入りさえすれば、ロックロッドを挿入することができる。また、係合穴からロックロッドを引き抜くときも、抵抗が少なく滑らかに抜くことができる。
【００１９】
本発明の観音開き扉の開閉装置の好ましい例は、
前記係合溝の縁のうち、
前記軸支ピンに近い側の一方の縁が、前記係合溝の内側に突出する円弧をなしており、
前記軸支ピンから離れた側の他方の縁が、前記一方の縁より長く構成されていることを特徴とする。
【００２０】
本発明の観音開き扉の開閉装置の好ましい例によれば、前記軸支ピンに近い側の一方の縁が、前記係合溝の内側に突出する円弧をなしているため、係合溝の奥側で係合溝の幅がより狭められ、フックと係合ピンとの係合が緩みにくくなる。また、前記軸支ピンから離れた側の他方の縁が、前記一方の縁より長く構成されているため、フックの周縁側において係合溝の幅が広くなり、観音開き扉の一方の扉と他方の扉との戸先同士の間の隙間が大きい場合でも、係合ピンを係合溝に引っ掛けることができる。
【発明の効果】
【００２１】
上述したように、本発明の観音開き扉の開閉装置によれば、扉の固定及び開放にかかる手間を少なくできるとともに、簡易な構造の装置で観音開き扉の固定及び開放を行うことができる。
【図面の簡単な説明】
【００２２】
【図１】本発明の一実施形態に係る観音開き扉の開閉装置を示す図である。
【図２】係止部及びロッド受部を示す図である。
【図３】観音開き扉の開閉装置の開放された状態を示す図である。
【図４】ロックロッドの下端とロッド受部とを側面から示した図である。
【図５】側壁が膨らんだときの観音開き扉の開閉装置の固定及び開放を模式的に示した図である。
【図６】本発明の他の実施形態に係る観音開き扉の開閉装置を示す図である。
【図７】本発明の他の実施形態に係る観音開き扉の開閉装置を示す図である。
【発明を実施するための形態】
【００２３】
以下、本発明の観音開き扉の開閉装置の実施の形態について、添付図面を参照して詳細に説明する。
【００２４】
図１は、本発明の好適な一実施形態に係る観音開き扉の開閉装置の固定された状態を示す図であり、図２は、該装置の操作レバーを係止する係止部と、ロッド受部とを示す拡大図である。また、図３は、本装置の開放された状態を示す図である。また、図４は、本装置の下部におけるロックロッドとロッド受部との固定及び開放を側面から示した拡大図である。また、図５は、積載物等の重さにより側壁が膨らんだときの観音開き扉の固定及び開放を模式的に示した図である。また、図６、図７は、本発明の他の実施形態に係る観音開き扉の開閉装置を示す図である。
【００２５】
先ず、図１、図２を参照して、本発明の好適な一実施形態に係る観音開き扉の開閉装置１０の構成を説明する。なお、本実施形態に係る観音開き扉の開閉装置１０は、左右の側壁３０と、それぞれの側壁３０に蝶番３１で支持された観音開きとなる２枚の扉１，２と、扉に貼設された取付け板３２と押え板３３とを備えるトラックの荷台に設けられている。
【００２６】
図１に示すように、本実施形態の観音開き扉の開閉装置１０は、軸支ピン１１と、フック１２と、係合ピン１４と、操作レバー１５と、係止部１７と、リンクレバー１９と、ロックロッド２０と、ロッドガイド２２と、ロッド受部２３とを備える。
【００２７】
軸支ピン１１は、一方の扉１の戸先３側に貼設された取付け板３２に突設されており、フック１２を回動可能に軸支する。また、係合ピン１４は、他方の扉２の戸先３側に貼設された取付け板３２に突設され、その頭部の径が軸部の径より大きく構成されている。なお、この取付け板３２は必須の構成ではなく、扉の形態及び強度によっては扉に軸支ピン１１及び係合ピン１４を直接設けてもよい。
【００２８】
フック１２は、金属等の板材からなり、上記の通り、軸支ピン１１により回動可能に軸支され、フック１２の周縁に向けて漸次拡幅された係合溝１３を有する。この係合溝１３の奥側は、前記係合ピン１４の軸部の径に略合致する幅となっており、係合溝１３の奥側と係合ピン１４の軸部とが係合したとき、係合溝１３の一部が係合ピン１４の頭部に引っ掛かり、フック１２が係合ピン１４から離脱できないように構成されている。
【００２９】
また、係合溝１３の縁のうち、軸支ピン１１に近い側の、一方の縁１３ａは、係合溝１３の内側に突出するよう円弧をなしている。ここで、フック１２の回動時に、一方の溝１３ａが係合ピン１４に干渉しないようにする必要があるため、本実施形態では、円弧の中心Ｃが、軸支ピン１１と係合ピン１４とを結ぶ水平線より上、かつ、円弧の半径Ｒが、軸支ピン１１の軸の中心と係合ピン１４の軸部の軸支ピン１１側の端との離間距離より短くなる位置にあるよう構成されている。もっとも、円弧の中心Ｃと半径Ｒは、この組み合わせに限定されるものではなく、フック１２が回動するときに、一方の溝１３ａが係合ピン１４と干渉しない形態であればどのようなものでもよい。
【００３０】
また、軸支ピン１１から離れた側の他方の縁１３ｂは、左斜め下方に長く垂れ下がり、その先端は係合溝１３の内側に向かって湾曲している。この他方の縁１３ｂが、一方の縁１３ａより長く構成されているため、他方の縁１３ｂの先端が、軸支ピン１１より離れた位置まで届く。これにより、本装置の固定された状態における、他方の縁１３ｂの角度を立てて、垂直に近い角度、例えば水平に対して６０〜８０度の角度とすることができる。なお、本実施形態では、７０度の角度としている。
【００３１】
操作レバー１５は、可撓性を有する棒材等で構成され、フック１２に固設されている。可撓性を有する材料として、フック１２を回動及び保持させる強度を有するものであれば特に限定されないが、例えば金属製又は樹脂製等の棒材、管材等を採用することができる。この操作レバー１５を操作することにより、フック１２が回動される。なお、可撓性の程度であるが、人力で操作レバー１５を撓ませることができる程度のものが好ましく、観音開き扉の大きさや積載物の重量等にも左右されるが、例えば、操作レバーの先端１６に３〜３０ｋｇｆの力を加えたとき、操作レバーの先端１６が２〜２０ｃｍ撓む程度の可撓性を有する材料を採用できる。
【００３２】
係止部１７は、操作レバー１５を係止するために、一方の扉１の吊元４付近に設けられており、図２（Ａ）にも示すように、断面略Ｕ字形をなしている。また、その開放部１８は、操作レバー１５が操作されたとき、係合溝１３を係合ピン１４に押し付ける方向に開いている。この係止部１７の形態は、操作レバー１５を係止することができればどのようなものでもよく、例えば、断面がコ字形のものでもよい。また、開放部１８に盗難防止のためのカバーを付けて錠前等で施錠し、他人が操作レバー１５を操作できないようにすることもできる。
【００３３】
リンクレバー１９は、軸支ピン１１と係合ピン１４との間のフック１２に回動可能に設けられている。リンクレバー１９は、その上端がフック１２の下部に、その下端がロックロッド２０に回動可能に接続され、フック１２の回動運動をロックロッド２０の上下運動に変換する作用を有する。
【００３４】
ロックロッド２０は、その軸が略垂直方向に配置された棒材又は管材等から構成され、その上端がリンクロッドに相対的に回動可能に接続される。また、ロックロッドの下端２１は、下側の扉枠３４近傍まで伸ばされ、先端が漸次縮小されている。この縮小される形状は、半球形、円錐形等の様々な形状を用いることができるが、本実施形態では、荷台側が尖るようにロックロッド２０を斜めに切断した形状を採用している。
【００３５】
ロッドガイド２２は、一方の扉１の戸先３側に貼設され他方の扉２の戸先３を表側から押えて固定する押え板３３に固着されており、その内部が中空となる管状部材で構成されている。そして、ロックロッド２０がロッドガイド２２に遊嵌され、ロッドガイド２２の軸方向である上下方向へのロックロッド２０の移動は妨げないが、水平方向の移動を規制する。なお、押え板３３は必須の構成ではなく、例えばロッドガイド２２を角パイプ等とすることで代用してもよい。また、本実施形態では押え板３３を一方の扉１の表側に貼設しているが、他方の扉２の裏側に貼設して、一方の扉１の戸先３で押え板３３を押す構成にしてもよい。この場合、リンクレバー１９、ロックロッド２０及びロッドガイド２２を、本実施形態に採用されている左右の扉の中央から若干右方向に移動させ、一方の扉１の戸先３付近に設けるようにすればよい。またさらに、ロッドガイド２２は本実施形態の管状部材に限られず、ロックロッド２０の水平方向の移動を規制するものであればよく、例えば、Ｕ字形のボルト等で構成されてもよい。
【００３６】
ロッド受部２３は、下側の扉枠３４に固設され、図２（Ｂ）にも示すように、ロックロッド２０の上下方向への移動の軌跡に交差するように受板２４が突出している。そして、受板２４にはロックロッドの下端２１が挿入される係合穴２５が設けられ、ロックロッド２０の上下に伴い、ロックロッド２０の挿入と抜き出しがなされる。
【００３７】
次に、図１〜５を参照して、本実施形態に係る観音開き扉の開閉装置１０の動作及び作用について説明する。
【００３８】
先ず、観音開き扉の開閉装置１０の固定について説明する。図１は、本装置により観音開き扉が固定されている状態を示す図であり、図２（Ａ）（Ｂ）は、そのときの係止部１７とロッド受部２３を示す図である。この状態では、操作レバー１５は反時計回りに操作され、それに伴いフック１２も軸支ピン１１を支点として反時計回りに回動する。このため、係合溝１３の奥側と係合ピン１４とが係合し、扉同士の上側が固定される。この、本装置を固定するとき、すなわち係合溝１３と係合ピン１４とが係合した状態で保持するときは、操作レバー１５を破線で示す自由位置より、さらに係合溝１３を係合ピン１４に押し付ける方向、すなわち反時計回りに付勢し撓ませた状態で、係止部１７に係止させる。これにより、操作レバー１５自体の弾力により、操作レバー１５が係止部１７に押し付けられ、人が意図的に操作する等の外力を加えない限り、係止された状態で保持される。
【００３９】
ここで、係合溝１３の一方の縁１３ａが円弧をなしているため、係合溝１３の奥側では一方の縁１３ａの角度が略垂直となる。また、他方の縁１３ｂの角度も比較的垂直に近い角度で構成されている。これらにより、係合溝１３と係合ピン１４が係合されたとき、係合ピン１４の略三方が囲まれる。このため、一旦、本装置で扉を固定すると、積載物の重さ等で側壁３０を膨らませる力が加わっても、フック１２と係合ピン１４との係合が緩むことがなく、強固に扉を固定することができる。
【００４０】
また、フック１２の反時計回りの回動に伴い、リンクレバー１９を介してロックロッド２０が下方向に移動する。このため、図４（Ａ）にも示すように、受板２４に設けられた係合穴２５にロックロッドの下端２１が挿入され、扉の下側が固定される。ここで、ロックロッドの下端２１が、荷台側が尖るように斜めに切断されて縮径されているため、扉の下側が完全に閉じていなくとも、ロックロッドの下端２１の先端が係合穴２５に入りさえすれば、斜めの切断面が係合穴２５の縁を滑り、扉の下側を閉じながら、ロックロッド２０を完全に係合穴２５へ挿入させることができる。
【００４１】
次に、観音開き扉の開閉装置１０の開放について説明する。図３は、本装置による固定が解除され、観音開き扉が開放される状態を示す図である。これは、図１に示す状態から、操作レバー１５を一旦反時計回りに操作し、係止部１７の係止を解除させてから操作レバー１５を離すことにより、操作レバー１５が時計回りに移動し、それに伴いフック１２も時計回りに回動し、係合溝１３と係合ピン１４の係合が解除されたものである。この動作は、係合溝１３と係合ピン１４とが係合されたときの操作レバーの先端１６の位置が、係合溝１３と係合ピン１４との係合が解除されたときの操作レバーの先端１６の位置より高く構成されているため、一旦操作レバー１５の係止を解除すれば、操作レバー１５の自重により自動的になされるものである。
【００４２】
なお、このとき、操作レバー１５の自重が不足して、操作レバー１５がその重みのみで移動しない場合は、操作レバーの先端１６に重り等を設けることができる。また、操作レバー１５の係止を解除したときに、扉の開放が自動的になされることを希望しない場合には、操作レバー１５、フック１２、及びロックロッド２０等の重量バランスを適宜変更して、操作レバー１５が係止部１７近傍に止まるようにすることもできる。
【００４３】
また、係止部１７が、扉の吊元４側に設けられており、係止部１７に係止されたときの操作レバーの先端１６の位置が、扉の吊元４側にある。これにより、操作レバー１５の係止を解除するとき、操作者が観音開き扉の正面から操作する必要がなくなり、操作者が扉の斜め側方や側方から手を伸ばして本装置の固定を解除することができる。このため、汚泥、肥料等の半固形物が積載されたときや、ジャガイモ、玉葱、石炭等の比較的小さな固形物がバラ積みされたとき等の、本装置を開放した途端に積載物がその重さによって観音開き扉を押し開くとともに荷崩れして荷台の後部に落下するような場合においても、操作者が崩れた積載物の下敷きになることがなく、操作者の安全を確保することができる。
【００４４】
また、フック１２の時計回りの回動に伴い、リンクレバー１９を介してロックロッド２０が上方向に移動する。このため、図４（Ｂ）にも示すように、係合穴２５からロックロッドの下端２１が抜け出し、扉の下側の固定も解除される。ここで、ロックロッドの下端２１が、荷台側が尖るように斜めに切断されて縮径されているため、積載物の重さ等により、観音開き扉を押し開く力が加わっていても、ロックロッド２０を少し上昇させ、係合穴２５の縁にロックロッドの下端２１の斜めの切断面を接触させれば、観音開き扉を押し開く力がロックロッド２０を上方に押し上げる力に変換され、本装置の開放を速やかに行うことができる。
【００４５】
また、係合溝１３がフック１２の周縁に向けて拡幅されているため、積載物の重さ等により荷台の側壁３０が左右に膨らんでいても、係合溝１３を係合ピン１４に引っ掛けることができ、さらに、フック１２の回動により係合ピン１４を引き寄せて固定することができる。これを図５（Ａ）〜（Ｄ）を参照して説明する。
【００４６】
図５（Ａ）に示すように、積載物の重さ等で荷台の側壁が左右に膨らんだとき、一方の扉と他方の扉の戸先同士の隙間も広がり、係合ピン１４は破線で表わす正規の位置より左方向に離れた位置にある。次に、図５（Ｂ）に示すように、操作レバー１５が反時計回りに操作され、フック１２も反時計回りに回動されたとき、係合溝１３が拡幅されているため、離れた位置にある係合ピン１４であっても、係合溝１３の他方の縁１３ｂで引っ掛けることができる。そして、図５（Ｃ）（Ｄ）に示すように、さらに操作レバー１５が反時計回りに操作されると、それに伴いフック１２が反時計回りに回動され、他方の縁１３ｂで係合ピン１４を引き寄せながら正規の位置に固定する。
【００４７】
このとき、係合溝１３の他方の縁１３ｂが、一方の縁１２ａより長く構成されているため、フック１２の周縁側において係合溝１３の幅が広くなっている。また、同じく、他方の縁１３ｂが長く構成されているため、他方の縁１３ｂの角度が本装置の固定された状態において比較的垂直に近い角度となる。これらにより、積載物の重さ等で側壁３０が膨らんで、係合ピン１４と軸支ピン１１との距離が離れていても、係合ピン１４を係合溝１３で引っ掛けることができるとともに、他方の縁１３ｂで係合ピン１４を引き寄せるときにフック１２を回動させる力を少なくすることができる。また、他方の縁１３ｂの先端が係合溝１３の内側に向かって湾曲しているため、係合ピン１４と軸支ピン１１との離間距離が大きい場合であっても、確実に係合ピン１４を係合溝１３に引っ掛けることができるとともに、引っ掛けた当初のフック１２を回動させる力を少なくすることができる。
【００４８】
また、本装置により観音開き扉が固定された状態で、積載物の重さ等で荷台の側壁３０を左右に膨らませる力が加わっていても、上記で説明した、図５（Ａ）〜（Ｄ）の反対の動作により、容易に本装置を開放させることができる。
【００４９】
また、他の実施形態として、図６、図７に示すように、観音開き扉の開閉装置１００を、軸支ピン１１と、フック１２と、係合ピン１４と、操作レバー１５と、係止部１７とで構成してもよい。本実施形態は、上述の実施形態からリンクレバーと、ロックロッドと、ロッドガイドと、ロッド受部とを除いたものであり、軸支ピン１１、フック１２、係合ピン１４、操作レバー１５、係止部１７の構成及び作用は上述の実施形態と同様であり、これらの説明は図面に同じ符号を付して省略する。
【００５０】
なお、図６に示す実施形態では、扉の上部のみ固定しているが、扉の下部を公知の開閉装置で固定することもできる。
【００５１】
以上、説明したように、本発明に係る観音開き扉の開閉装置によれば、操作レバー１５を撓ませることで、その弾力をもって係止部１７に係止させるため、操作の手間が少なく、装置の構成も簡易なものとすることができる。また、操作レバー１５の操作に伴うフック１２の回動により、フック１２の係合溝１３に係合ピン１４を係合させて扉の上側を固定するが、係合溝１３がフック１２の周縁に向かって漸次拡幅されているため、荷台の側壁３０が膨らんで、扉同士に隙間ができた状態でも、係合溝１３で係合ピン１４を引っ掛けるとともに引き寄せて固定することができる。また、同様に、係合溝１３がフック１２の周縁に向かって漸次拡幅されているため、積載物の重さ等で荷台の側壁３０を左右に膨らませる力が加わっていても、フック１２の係合溝１３と係合ピン１４との係合を滑らかに解除させることができる。
【００５２】
また、フック１２に接続されたリンクレバー１９を介してロックロッド２０を上下させ、該ロックロッド２０で扉の下部を固定するため、一つの操作レバー１５の操作で装置の固定及び開放を行うことができる。また、操作レバー１５が係止された状態での操作レバーの先端１６が、扉の吊元４近傍にあるとともに、操作レバー１５の係止を解除すると操作レバー１５が自重により本装置の固定を解除する方向に移動するため、操作者が扉の正面で操作する必要がなく、積載物の荷崩れ等による人身事故を防止することができる。また、ロックロッドの下端２１が漸次縮径されているため、扉の固定及び開放が容易となる。
【００５３】
なお、上述の各実施形態は、本発明に係る観音開き扉の開閉装置の例示であり、本発明の趣旨を逸脱しない範囲において、その構成を適宜変更できる。例えば、上述の実施形態では、深アオリの荷台を備えるトラックについて説明したが、バン型の荷台を備えるトラックや、コンテナ等にも本発明に係る観音開き扉の開閉装置を適用することができる。また、バン型の荷台等のように、扉枠が観音開き扉の上側にも設けられ、積載物の重さ等により荷台の側壁が膨らみ扉の戸先同士の隙間が開くことのない形態のものでは、フックを観音開き扉の上側ではなく、上下の中間位置等に設けることもできる。
【符号の説明】
【００５４】
１・・一方の扉、２・・他方の扉、３・・戸先、４・・吊元
１０，１００・・観音開き扉の開閉装置、１１・・軸支ピン、１２・・フック、１３・・係合溝、１３ａ・・一方の縁、１３ｂ・・他方の縁、１４・・係合ピン、１５・・操作レバー、１６・・操作レバーの先端、１７・・係止部、１８・・開放部、１９・・リンクレバー、２０・・ロックロッド、２１・・ロックロッドの下端、２２・・ロッドガイド、２３・・ロッド受部、２４・・受板、２５・・係合穴
３０・・側壁、３１・・蝶番、３２・・取付け板、３３・・押え板、３４・・扉枠
【要約】
【課題】簡易な構造で扉の固定及び開放を行うことができる、観音開き扉の開閉装置を提供することを目的とする。
【解決手段】観音開き扉の一方の扉に設けられた軸支ピンにより回動可能に軸支され、周縁に向けて漸次拡幅されている係合溝を有するフックと、観音開き扉の他方の扉に設けられ、前記係合溝に係合される係合ピンと、前記フックに設けられ、前記フックを回動させる、可撓性を有する操作レバーと、前記操作レバーを、前記係合溝と前記係合ピンが係合した状態からさらに前記係合溝を前記係合ピンに押し付ける方向に付勢し撓ませた状態で係止する係止部と、を備えることを特徴とする。
【選択図】図１【図１】
0005628966.tif 000002
【図２】
0005628966.tif 000003
【図３】
0005628966.tif 000004
【図４】
0005628966.tif 000005
【図５】
0005628966.tif 000006
【図６】
0005628966.tif 000007
【図７】
0005628966.tif 000008